(57)【要約】      （修正有）【課題】手間と経験が不要で、全ての設置場所に対応でき、仕上がりの安定性と外観にすぐれる目地枠利用のレンガ積み、ブロック積み構造物を提供する。【解決手段】立体的に形成した目地枠１と、目地枠に設けたレンガ、ブロック、立方体、遮蔽物の何れかでなる構造体１Ｂと、を含む目地枠利用のレンガ積み、ブロック積み構造物であって、枠組み形成された目地枠を、構築面に設置し、レンガ積み、ブロック積み構造物を構築する。【選択図】図２−１
0003227567.tif 000002
【実用新案登録請求の範囲】
【請求項１】
立体的に形成した目地枠と、
この目地枠に設けたレンガ、ブロック、立方体、遮蔽物の何れかでなる構造体と、
を含む目地枠利用のレンガ積み、ブロック積み構造物。
【請求項２】
前記目地枠は、二枚の縦目地板と、この二枚の縦目地板間に配備された二枚の横目地板で形成された、立方体の組合せ構造である請求項１に記載の目地枠利用のレンガ積み、ブロック積み構造物。
【請求項３】
前記目地枠には前記構造体を、差し込み、嵌め込みの何れかで設け、及び／又は、接着剤で固定する構造である請求項１〜請求項２の何れか一項に記載の目地枠利用のレンガ積み、ブロック積み構造物。
【請求項４】
前記目地枠は、柔軟性、弾力性、撥水性、又は耐候性の何れか一つを備える構造である請求項１に記載の目地枠利用のレンガ積み、ブロック積み構造物。
【請求項５】
前記構造体は、発泡スチロールでなる請求項１〜請求項４の何れか一項に記載の目地枠利用のレンガ積み、ブロック積み構造物。
【請求項６】
前記レンガ積み、ブロック積み構造物は、花壇、植え込み、又は垣根、間仕切りの何れかの構造物である請求項１〜請求項４の何れか一項に記載の目地枠利用のレンガ積み、ブロック積み構造物。
【考案の詳細な説明】
【技術分野】
【０００１】
本考案は、目地枠（枠材を含む）利用のレンガ積み、ブロック積み構造物に関する。
【背景技術】
【０００２】
従来、レンガ積み、擬似レンガ積みとか、ブロック積み構造物（以下、原則として、レンガ積みとする）は、基礎、地面、又は床等の構築面に直にレンガを敷設し、必要により、接着剤を塗布しつつ、順番に隣設、及び／又は、積み上げていくことで、例えば、レンガ積の花壇等が構築される。従って、手間と経験が要望される。また、仕上がりが安定せず、崩壊の危険性と、外観が劣ることも考えられる。
【０００３】
このような、問題を解決するための方法を従来文献から検索した結果、次のような方法とか、工夫が施されている技術が挙げられるので、一例を説明する。
【０００４】
例えば、ブロック施工用冶具で、実用新案登録第３１１０３８５号公報において、開示されている。即ち、棒状の縦横目地用枠を利用し、ブロックを嵌め込み敷設する構造であるが、単なる、枠組み構造の目地材であり（「０００７」参照）、最初から、枠組み形成された目地枠を、構築面に設置するものでない。従って、簡略化・施工の容易化を図る構造であるが、改良の余地がある。
【０００５】
また、例えば、ブロック施工用目地部材として、実用新案登録第第３０３３１６１号公報において、開示されている。即ち、二本の横目地棒部材と、この横目地棒部材の端より立ち上がった二本の縦目地棒部材でなる。一組の目地棒部材を組み合わせて、目地枠を構成し、この目地枠にブロックを嵌め込み敷設する構造であるが、前述した文献（１）と同じ考え方であり、簡略化・施工の容易化を図る構造であるが、改良の余地がある。
【先行技術文献】
【特許文献】
【０００６】
【特許文献１】実用新案登録第３１１０３８５号公報
【特許文献２】実用新案登録第３０３３１６１号公報
【考案の概要】
【考案が解決しようとする課題】
【０００７】
前述の文献（１）・（２）においては、簡略化・施工の容易化を図る構造であり、重宝する。しかし、最初から、枠組み形成された目地枠を、構築面に設置するものでない。従って、一面的な改良であって、本考案が意図する、目地枠利用のレンガ積み、ブロック積み構造物とは考えられない。
【課題を解決するための手段】
【０００８】
上記に鑑み、本考案は、目地枠利用のレンガ積み、ブロック積み構造物を提供するために、下記の請求項１−６を提案する。
【考案の効果】
【０００９】
前記請求項１−６として、枠組み形成された目地枠を、構築面に設置し、レンガ積み、ブロック積み構造物を構築できる構成を提案する。
【００１０】
先ず、請求項１においては、
立体的に形成した目地枠と、
目地枠に設けたレンガ、ブロック、立方体、遮蔽物の何れかでなる構造体と、
を含む目地枠利用のレンガ積み、ブロック積み構造物とする。
【００１１】
併せて、請求項２においては、
目地枠は、二枚の縦目地板と、二枚の縦目地板間に配備された二枚の横目地板で形成された、立方体の組合せ構造である目地枠利用のレンガ積み、ブロック積み構造物とする。
【００１２】
請求項３においては、
目地枠には構造体を、差し込み、嵌め込みの何れかで設け、及び／又は、接着剤で固定する構造である目地枠利用のレンガ積み、ブロック積み構造物とする。
【００１３】
また、請求項４においては、
目地枠は、柔軟性、弾力性、撥水性、又は耐候性の何れか一つを備える構造である目地枠利用のレンガ積み、ブロック積み構造物とする。
【００１４】
請求項５においては、
構造体は、発泡スチロールでなる目地枠利用のレンガ積み、ブロック積み構造物とする。
【００１５】
請求項６においては、
レンガ積み、ブロック積み構造物は、花壇、植え込み、又は垣根、間仕切りの何れかの構造物である目地枠利用のレンガ積み、ブロック積み構造物とする。
【図面の簡単な説明】
【００１６】
【図１】目地枠、及び構造体の一例を示した俯瞰図
【図２−１】図１に示した目地枠にレンガ（構造体）を差し込み、嵌め込みの何れかで設け、及び／又は、接着剤で固定した状態の俯瞰図
【図２−２】図２−１の要部の拡大斜視図
【図３】図２−１に示した状態の正面図
【図４】図３の側面図
【図５】図３の平面図
【図６】本考案の使用状態であり、花壇に採用した状態の縮尺俯瞰図
【図７】本考案の他の使用状態であり、花壇に採用した状態の縮尺俯瞰図
【図８】本考案の別の使用状態であり、建屋の塀に採用した状態の縮尺俯瞰図
【図９】本考案の別の使用状態であり、建屋の壁に採用した状態の縮尺俯瞰図
【図１０】本考案に使用するレール形態の袴材を示す縮尺俯瞰図
【図１１】袴材を基礎用のベース材として利用した場合の縮尺俯瞰図
【図１２】袴材を他の基礎用のベース材として利用した場合の縮尺俯瞰図
【図１３】本考案に使用する他のレール形態の袴材を示す縮尺俯瞰図
【考案を実施するための形態】
【００１７】
以下、本考案の一実施例を説明するが、好ましい、一例であり、この説明とか図面に限定されず、本考案の考えと、概念が符合するものは、本考案の範疇である。
【００１８】
目地枠１は、少なくとも二枚で一組の縦目地板１００（以下、縦目地板１００とする）と、この二枚で一組の縦目地板１００間に配備された少なくとも二枚で一組の横目地板１０１（以下、横目地板１０１とする）で形成された、立方枠体１Ａの組合せでなる。そして、立方枠体１Ａの数は、任意であり、任意の数を以って、目地枠１が形成されることと、それぞれの構築箇所で自由であって、図示した、各実施例に限定されない。例えば、縦・横目地板１００、１０１で組合される立方枠体１Ａの数は、設置する構造物Ｘにより決定される。例えば、図１−５と、図６−８との違いである。
【００１９】
そして、縦・横目地板１００、１０１の一方対峙面１００ａ・ｂ、及び他方対峙面１０１ａ・ｂと、後述する構造体１Ｂ（レンガ、ブロック、その他の立方体物等）の縦・横四辺部１Ｂａ〜１Ｂｄは、原則として、面接触することが望ましい。
【００２０】
この一方対峙面１００ａ・ｂ（縦方向対峙面）、及び他方対峙面１０１ａ・ｂ（横方向対峙面）は、図１の拡大図（ロ）に示した、立方枠体１Ａの拡大斜視図において、明らかになっている。図中１０２は、立方枠体１Ａと目地枠１の奥行き方向である。
【００２１】
前述した構造体１Ｂは、一般的には、レンガ、ブロック等の立方体形状であり、規格品が望ましい。その理由は、全国統一の目地枠１の空間１０３に、誰でも、ワンタッチで、かつ容易に設置可能とするためである。
【００２２】
尚、目地枠１は、構築面Ｒに設置するために、予め、工場とか、製造元、或いは本人が組み立てる。例えば、設置用の高さ、段数とか、幅、長さ、又は形状を含めた寸法等を、花壇Ｒ１、仕切りＲ２、壁Ｒ３等の構造物Ｘに応じて決定する。その為に、構築面Ｒには、上記のように、所定の寸法に枠組み形成された目地枠１を設置する。
【００２３】
その後は、目地枠１の空間１０３（空室）に、構造体１Ｂを差し込み等するが、その際に、一方対峙面１００ａ・ｂには、構造体１Ｂ（例えば、レンガ）の縦四辺部１Ｂａ、１Ｂｂが、また、他方対峙面１０１ａ・ｂに、構造体１Ｂ（例えば、レンガ）の横四辺部１Ｂｃ、１Ｂｄが、それぞれ添設、又は隣設等するようにすれば、安定的、かつ美麗に設けられる。この添設、又は隣設等の例は、好ましいが限定されない。そして、立方体枠１Ａの奥行き１０２ａは、構造体１Ｂ（例えば、レンガ）の奥行き１Ｂｅに合わせる。このように、奥行き１０２ａと奥行き１Ｂｅを合わせることは、好ましいが限定されない。
【００２４】
前述の如く、構造体１Ｂを花壇Ｒ１のレンガとしたが、一例であり、限定されない。また、構造体１Ｂは、構造物Ｘを仕切りＲ２、壁Ｒ３等とした場合においても同様に取り扱われる。上記のような構造は、従来のように水糸張り等の手間を要せず、簡易で、素早く設置ができる。また、正確性と仕上がりの美しさが際立つ利点がある。
【００２５】
また、目地枠１は、柔軟性、弾力性、撥水性、又は耐候性の何れか一つを備える構造であるが、屋外設置する場合には、屋外設置に適する剛性素材を活用してもよい。必要により、廃材のサンダル底、バスマット、フロアジョイントマットとか、ＥＶＡ樹脂素材等を使用することで、環境維持、材料の有効利用、コスト削減等に寄与できること、或いは、目地枠１の柔軟性、弾力性等を利用し、構造体１Ｂを容易、かつスムースに差し込み等できて重宝する。更に目地枠１の撥水性、又は耐候性等は、屋外設置に有益であり、長持ちする。
【００２６】
さらに、目地枠１、又は花壇Ｒ１、仕切りＲ２等においては、例えは、発泡樹脂製（発泡スチロール製）の擬似目地材とか、擬似レンガ、又は擬似ブロック等を用いて、室内用として利用できる。
【００２７】
また、目地枠１と構造体１Ｂは、接着剤を使用しないが、コーキング剤、クラック補修剤を使用し、接着強度向上とか、倒壊防止等を図ることも可能である。
【００２８】
そして、目地枠１の立方枠体１Ａの形状は、四角、円形、曲線等、構造が自由自在であることが特徴であることと、目地枠１は、原則として、強度面と、実用面とを考えて、例えば、３段積み程度が適当と思われる。
【００２９】
尚、図１０の収れんしたレール形態の袴材２、２ａを、図１１の如く、目地枠１の下端１−１、及び／又は、図示しないが、上端１−２に取付けることで、基礎用のベース材としての利用と、被せ用のベース材（図示しない）としての利用が図れて重宝する。そして、袴材２を、基礎用のベース材と利用することで、例えば、図１１、図１２の如く、家庭菜園、花壇の作成が手軽にできる。また、手が汚れず、短時間ででき、かつ作り直し、作り替え、解体、撤収が簡単で、処分や再利用が楽に行えて重宝する。特に、基礎用のベース材の利用では、接地面基礎部分を平衡に保つことの容易化とか、地面の傾斜面、凹凸に対しても迅速、かつ簡易に対応できる。
【００３０】
一方、図示しないが、被せ用のベース材としての利用では、見映えを良くすること、重厚感とか、風雨とか、対光性、耐久性等の向上が期待できる。図１０は、被せ用のベース材としての袴材２の一例である。図１３は、袴材２の別の一例であり、チャンネル方型の袴材２ａを示している。
【００３１】
以上で説明した実施例の一例は、好ましい各例を示したものであり、同様な効果と特徴を有する他の構造、手段は、本考案の範疇である。
【符号の説明】
【００３２】
１  目地枠
１−１  下端
１−２  上端
１Ａ  立方枠体
１Ｂ  構造体
１Ｂａ〜１Ｂｄ  縦・横四辺部
１Ｂｅ  奥行き
１００  縦目地板
１００ａ・ｂ  一方対峙面
１０１  横目地板
１０１ａ・ｂ  他方対峙面
１０２  奥行き方向
１０２ａ  奥行き
１０３  空間
２、２ａ  袴材
Ｒ  構築面
Ｒ１  花壇
Ｒ２  仕切り
Ｒ３  壁
Ｘ  構造物
【図１】
0003227567.tif 000003
【図２−１】
0003227567.tif 000004
【図２−２】
0003227567.tif 000005
【図３】
0003227567.tif 000006
【図４】
0003227567.tif 000007
【図５】
0003227567.tif 000008
【図６】
0003227567.tif 000009
【図７】
0003227567.tif 000010
【図８】
0003227567.tif 000011
【図９】
0003227567.tif 000012
【図１０】
0003227567.tif 000013
【図１１】
0003227567.tif 000014
【図１２】
0003227567.tif 000015
【図１３】
0003227567.tif 000016